(57)【特許請求の範囲】
【請求項１】
軸方向にキー溝１２が設けられたスクリューシャフト１３と、
該スクリューシャフト１３の両端から螺合された２個のナット１４と、
該ナット１４が螺合されたスクリューシャフト１３の両側から被嵌され、内面には前記キー溝１２に嵌るキー１６が取り付けられ、スクリューシャフト１３嵌入側端にはナット１４を回したときの共周りを阻止するための回り止め１９が形成された外筒１５とを有し、
上記スクリューシャフト１３のキー溝１２の両端には限界マークが付され、
上記外筒１５のキー１６よりも軸方向外側には上記限界マークの覗き窓１７を設け、
上記外筒１５の覗き窓１７よりも軸方向外側には、埋設管路にフランジ２４を介して取り付けられた機器２０の前記フランジ２４に引っ掛けるための爪１８が筒軸に対して直角に向けて固着され、
ナット１４を回して爪１８の間隔を広げて行くと、外筒１５の覗き窓１７からスクリューシャフト１３の限界マークが見えるようにした埋設管路機器取り外し具。
【請求項２】
上記ナット１４と上記外筒１５とが接する面にスラストベアリング２３を介在させた請求項１に記載の埋設管路機器取り外し具。
【請求項３】
請求項１または２に記載の埋設管路機器取り外し具を、埋設管路にフランジ２４を介して取り付けられた機器２０の両側軸方向に添わせ、上記爪１８を上記フランジ２４に引っ掛け、帯２５を掛けて固定し、上記ナット１４を回すことにより、上記フランジ２４の間隔を機器２０を挟んでいる力がなくなるまで広げるようにした機器の取り外し方法。
【発明の詳細な説明】
【０００１】
【発明の属する技術分野】
この発明は、管路とともに埋設した水道メーターやバルブなど管路に付設した機器の取外し・交換工事に使用される治具に関する。
【０００２】
【従来の技術】
本発明者は管路とともに埋設されているバルブを取り外すための治具として、特願平１０−２３０７５０号で「外筒１に内筒２を相互に軸方向に摺動可能で回転しないように嵌挿し、上記外筒１と内筒２のそれぞれに、軸に対して直角であり同一方向に向けて爪片８を突出させ、上記外筒１の片端にナット５を固着し、このナット５にボルト６を螺合し、このボルト６の先端を内筒２の内部に設けた受圧片７に当接させて外筒１と内筒２を移動させて、上記爪によりバルブの両側のフランジ１２，１２（管路端のフランジ）の間隔を広げるようにしたバルブ取り外し治具」を提案した。
【０００３】
【発明が解決しようとする課題】
上記「バルブ取り外し治具」は、バルブの前方・後方に埋設されて延びる管路と大地との接触抵抗に抗して、上記管路の端にあるバルブを取り付けているフランジの間隔を広げてバルブを取り外し易くした点で初期の目的を達成できたが、その後、実使用のなかで次に記す改善点が指摘された。
【０００４】
▲１▼管路端のブランジの間隔を広げるためにボルトを回したとき推力だけでなく、ボルトの先端と受圧片との接触抵抗により捻りが生じ動きが円滑でない。
【０００５】
▲２▼ボルトを回したときの推力は内筒側に働き、外筒側には反力が作用するのでフランジの開き具合が微妙に違ってくる。
【０００６】
▲３▼バルブの前方・後方に延びる管路の大地との接触抵抗が相違するため、前方・後方の管路が均等に広がらない場合があり片方しか広がらない場合がある。
【０００７】
上記問題に鑑みこの発明は、上記問題を解決するとともに、フランジを広げるための爪の間隔設定の限界が判るようにした埋設管路機器取外し具を提供することを課題とする。
【０００８】
【課題を解決するための手段】
上記課題を解決するためにこの発明は、軸方向にキー溝が設けられたスクリューシャフトと、該スクリューシャフトの両端から螺合された２個のナットと、該ナットが螺合されたスクリューシャフトの両側から被嵌され、内面には前記キー溝に嵌るキーが取り付けられ、スクリューシャフト嵌入側端にはナットを回したときの共周りを阻止するための回り止めが形成された外筒とを有し、上記スクリューシャフトのキー溝の両端には限界マークが付され、上記外筒のキーよりも軸方向外側には上記限界マークの覗き窓を設け、上記外筒の覗き窓よりも軸方向外側には、埋設管路にフランジを介して取り付けられた機器の前記フランジに引っ掛けるための爪が筒軸に対して直角に向けて固着され、ナットを回して爪の間隔を広げて行くと、外筒の覗き窓からスクリューシャフトの限界マークが見えるようにしたのである。
また、上記ナットと上記外筒とが接する面にスラストベアリングを介在させるのが好ましい。
上記埋設管路機器取り外し具を、埋設管路にフランジを介して取り付けられた機器の両側軸方向に添わせ、上記爪を上記フランジに引っ掛け、帯を掛けて固定し、上記ナットを回すことにより、上記フランジの間隔を機器を挟んでいる力がなくなるまで広げて機器を取り外すのが好ましい。
【０００９】
上記のように構成することによって、ナットをまわしてフランジの間隔を広げるとき捻りが生ずることがなく、前方・後方にそれぞれ四箇所以上で推力を働かせることができて作動が円滑になる。また、前方・後方の管路と大地との接触抵抗の相違にも対応できるようになる。
【００１０】
スクリューシャフトのキー溝に限界マークを付し、外筒に覗き窓を設けたのでスクリューシャフトを出し過ぎることを防止できる。
【００１１】
【発明の実施の形態】
次にこの発明に係る埋設管路機器取外し具１０を図面を参照しながら説明する。軸方向に限界マーク１１を付したキー溝１２を設けたスクリューシャフト１３の両端から略中央までナット１４が螺合され、その両側から外筒１５が被嵌されている。
【００１２】
上記外筒１５の内面には上記キー溝１２に嵌まるキー１６が取り付けられ、その軸方向外側に上記限界マーク１１を見るための覗き窓１７が設けられ、さらにその軸方向外側に軸に対して直角に向けて爪１８が溶接等により固着されている。
【００１３】
外筒１５のスクリューシャフト嵌入側端には、ナット１４を回したときに共回りを阻止するための回り止め１９が形成され、反対側の端にはリブ２１が形成されている。
【００１４】
上記限界マーク１１は赤色ペンキ等でキー溝１２の両端に付され、ナット１４を回して爪１８の間隔を広げて行くと、上記覗き窓１７から上記限界マークが見えてスクリューシャフト１３の終端が近づいていることを知らせるようになっている。
【００１５】
スクリューシャフト１３に螺合したナット１４と接する外筒１５の端には図３に示すように回り止め１９の部分に凹形２２を削設し、この凹形２２にスラストベアリング２３を介在させるとスムースにナット１４を回すことができ、捻りの発生を抑えることができる。
【００１６】
埋設管路とともに設置された水道メーター２０やバルブ（図示せず）を取り外すときは、爪１８の間隔をフランジ２４の間隔に合わせ、該爪１８をフランジ２４に引っ掛けて取外し具１０を水道メーター２０の両側に添わせて帯２５を掛けて固定し、四箇所のナット１４を満遍に回してフランジ２４の間隔を広げて行く。
【００１７】
なお、上記作業を開始する前に水道メーター２０を図示しない吊り上げ機を介して吊るしておき、上記操作するうちにフランジ２４の間隔が広がり水道メーター２０を挟んでいる力がなくなると、吊り上げ機により水道メーター２０を取り外すようにするとよい。
【００１８】
【発明の効果】
以上説明したようにこの発明によれば、ナットを回したときに捻りが発生せず、スムースにフランジの間隔を広げることが出来るようになり、四箇所にナットを配置したので前後の管路の大地との接触抵抗の違いにも対応できるようになった。
【００１９】
また、スクリューシャフトのキー溝に限界マークを設け、外筒に覗き窓を設けたのでスクリューシャフトの終端が近づいていることを知ることができスクリューシャフトのネジとナットを損傷するのを防止することができる。
【図面の簡単な説明】
【図１】この発明に係る埋設管路機器取外し具の平面図
【図２】同一部切り欠き正面図
【図３】同部分拡大図
【図４】従来のバルブ取り外し治具
【符号の説明】
１０  埋設管路機器取外し具
１１  限界マーク
１２  キー溝
１３  スクリューシャフト
１４  ナット
１５  外筒
１６  キー
１７  覗き窓
１８  爪
１９  回り止め
【図１】
0004095261.tif 000002
【図２】
0004095261.tif 000003
【図３】
0004095261.tif 000004
【図４】
0004095261.tif 000005